(57)【要約】【課題】傾斜させた滑降面に沿って滑降体を滑降させる玩具において、滑降面の傾斜角度を自由に変更できるようにすること。【解決手段】本発明では、傾斜させた滑降面（４）に沿って滑降体（５）を滑降させる玩具（１）において、滑降面（４）を形成した滑降台（３）を基台（２）の上部に滑降台（３）を傾斜させた状態で保持可能に載置するとともに、基台（２）に下方へ向けて凹状の円弧面を有する支持部（１２）を形成する一方、その支持部（１２）に嵌合かつ摺動する下方へ向けて凸状の円弧面を有する載置部（１８）を滑降台（３）に形成して、滑降台（３）の載置部（１８）を基台（２）の支持部（１２）に沿って摺動させることで滑降面（４）の傾斜角度を変更できるように構成することにした。【選択図】図１
2011194017.tif 000002
【特許請求の範囲】
【請求項１】
傾斜させた滑降面に沿って滑降体を滑降させる玩具において、
滑降面を形成した滑降台を基台の上部に滑降台を傾斜させた状態で保持可能に載置するとともに、基台に下方へ向けて凹状の円弧面を有する支持部を形成する一方、その支持部に嵌合かつ摺動する下方へ向けて凸状の円弧面を有する載置部を滑降台に形成して、滑降台の載置部を基台の支持部に沿って摺動させることで滑降面の傾斜角度を変更できるように構成したことを特徴とする玩具。
【請求項２】
前記基台と滑降台の内部に滑降体を収容するための収容空間を形成し、基台の上部に滑降台を水平状に載置した収容姿勢と、基台の上部に滑降台を傾斜状に載置した使用姿勢とに姿勢変更できるように構成したことを特徴とする請求項１に記載の玩具。
【発明の詳細な説明】
【技術分野】
【０００１】
本発明は、傾斜させた滑降面に沿って滑降体を滑降させる玩具に関するものである。
【背景技術】
【０００２】
従来より、球状等の滑降体を傾斜させた滑降面に沿って下方へ向けて滑降させて楽しむ玩具が広く知られている（たとえば、特許文献１又は特許文献２参照。）。
【０００３】
この玩具は、滑降台を支柱の上端部に載置して固定しており、支柱の高さによって滑降面の傾斜角度が決まるように構成されていた。
【０００４】
そのため、従来の玩具では、滑降面の傾斜角度が固定されていたり、或いは、段階的にしか変更することができないものであった。
【先行技術文献】
【特許文献】
【０００５】
【特許文献１】実用新案登録第３０１８８７８号公報
【特許文献２】実用新案登録第３０７５７１４号公報
【発明の概要】
【発明が解決しようとする課題】
【０００６】
従来の傾斜させた滑降面に沿って滑降体を滑降させる玩具では、滑降台を載置する支柱の高さによって傾斜角度が決まってしまうため、滑降面の傾斜角度を自由に変更することができないといった課題を有していた。
【課題を解決するための手段】
【０００７】
そこで、請求項１に係る本発明では、傾斜させた滑降面に沿って滑降体を滑降させる玩具において、滑降面を形成した滑降台を基台の上部に滑降台を傾斜させた状態で保持可能に載置するとともに、基台に下方へ向けて凹状の円弧面を有する支持部を形成する一方、その支持部に嵌合かつ摺動する下方へ向けて凸状の円弧面を有する載置部を滑降台に形成して、滑降台の載置部を基台の支持部に沿って摺動させることで滑降面の傾斜角度を変更できるように構成することにした。
【０００８】
また、請求項２に係る本発明では、前記請求項１に係る本発明において、前記基台と滑降台の内部に滑降体を収容するための収容空間を形成し、基台の上部に滑降台を水平状に載置した収容姿勢と、基台の上部に滑降台を傾斜状に載置した使用姿勢とに姿勢変更できるように構成することにした。
【発明の効果】
【０００９】
そして、本発明では、以下に記載する効果を奏する。
【００１０】
すなわち、本発明では、傾斜させた滑降面に沿って滑降体を滑降させる玩具において、滑降面を形成した滑降台を基台の上部に滑降台を傾斜させた状態で保持可能に載置するとともに、基台に下方へ向けて凹状の円弧面を有する支持部を形成する一方、その支持部に嵌合かつ摺動する下方へ向けて凸状の円弧面を有する載置部を滑降台に形成して、滑降台の載置部を基台の支持部に沿って摺動させることで滑降面の傾斜角度を変更できるように構成することにしているために、使用者が好みに応じて滑降面の傾斜角度を自由に変更することができ、使用者を飽きさせることなく長期間にわたって使用者の興味を惹きつける玩具とすることができる。
【００１１】
特に、基台と滑降台の内部に滑降体を収容するための収容空間を形成し、基台の上部に滑降台を水平状に載置した収容姿勢と、基台の上部に滑降台を傾斜状に載置した使用姿勢とに姿勢変更できるように構成することにした場合には、使用していない時には収容姿勢にすることで滑降体を紛失することなくコンパクトに収容しておくことができ、また、使用する時には滑降台を基台に沿って摺動させるだけで直ちに使用することができるので、玩具の使い勝手を向上させることができる。
【図面の簡単な説明】
【００１２】
【図１】本発明に係る玩具を示す斜視図。
【図２】玩具の収容姿勢を示す平面図（ａ）、側面断面図（ｂ）、側面図（ｃ）。
【図３】玩具の収容姿勢を示す正面図（ａ）、正面断面図（ｂ）。
【図４】玩具の使用姿勢を示す平面図（ａ）、側面図（ｂ）。
【発明を実施するための形態】
【００１３】
以下に、本発明に係る玩具の具体的な構成について図面を参照しながら説明する。
【００１４】
図１に示すように、玩具１は、基台２の上部に滑降台３を傾斜させた状態で載置し、滑降台３に形成した滑降面４を所定角度に傾斜させ、その傾斜させた滑降面４に沿って上方から下方に向けてどんぐり型の滑降体５を滑降させるように構成している。
【００１５】
この玩具１は、使用していない時には図２及び図３に示すように、基台２の上部に滑降台３を水平状に載置して基台２と滑降台３との内部に滑降体５を収容した収容姿勢とすることができ、一方、使用している時には図４に示すように、基台２の上部に滑降台３を傾斜状に載置して滑降面４を任意の傾斜角度に保持した使用姿勢とすることができるようになっている。
【００１６】
基台２は、矩形板状の底壁６の前後端部に前後一対の前後側壁7,8を取付けるとともに、底壁６の左右端部に左右一対の左右側壁9,10を取付け、さらに、底壁６の中央上部に矩形箱型状の係止体11を左右側壁9,10の間隔と同一幅で形成している。
【００１７】
この基台２は、左右側壁9,10の上面で滑降台３を支持しており、その支持部12（左右側壁9,10の上面）を下方へ向けて凹状の所定曲率の円弧面としている。
【００１８】
また、基台２は、係止体11の前後に凹部13を形成しており、その凹部13が、収容姿勢においては収容空間14の下半部を形成する一方、使用姿勢においては滑降体５の滑降場所を形成するようにしている。
【００１９】
滑降台３は、矩形板状の天井壁15の左右端部に左右一対の左右側壁16,17を基台２の左右側壁9,10と同一の間隔で取付けている。
【００２０】
この滑降台３は、天井壁15の上面を滑降面４とするとともに、左右側壁16,17の下面を基台２の支持部12に載置しており、その載置部18（左右側壁16,17の下面）を下方へ向けて凸状の所定曲率の円弧面としている。
【００２１】
ここで、滑降台３の載置部18の円弧面の曲率は、基台２の支持部12の円弧面の曲率と同一としており、滑降台３の載置部18が基台２の支持部12に嵌合するとともに摺動するようになっている。これにより、滑降台３は、基台２の上部に載置するとともに基台２に沿って摺動させることで滑降台３及び滑降面４の傾斜角度を自由に変更することができるようになっている。
【００２２】
また、滑降台３は、左右側壁16,17の間隔が基台２に形成した係止体11の幅と同一となっており、左右側壁16,17の内側部間で係止体11を挟持することができるようになっている。これにより、滑降台３は、左右側壁16,17で基台２の係止体11を挟持することで基台２の上部に傾斜した状態で保持されるようになっている。
【００２３】
以上に説明したように、玩具１は、滑降面４を形成した滑降台３を基台２の上部に滑降台３を傾斜させた状態で保持可能に載置するとともに、基台２に下方へ向けて凹状の円弧面を有する支持部12を形成する一方、その支持部12に嵌合かつ摺動する下方へ向けて凸状の円弧面を有する載置部18を滑降台３に形成して、滑降台３の載置部18を基台２の支持部12に沿って摺動させることで滑降面４の傾斜角度を変更できるように構成している。
【００２４】
そのため、上記構成の玩具１では、使用者が好みに応じて滑降面４の傾斜角度を自由に変更することができ、使用者を飽きさせることなく長期間にわたって使用者の興味を惹きつける玩具１とすることができる。
【００２５】
なお、上記玩具１では、基台２の係止体11を滑降台３の左右側壁16,17で挟持することで基台２の上部に滑降台３を傾斜状に保持できるように構成しているが、この構成に限られず、たとえば基台２の支持部12（左右側壁9,10の上面）と滑降台３の載置部18（左右側壁16,17の下面）との摩擦力で滑降台３の傾斜状態を保持するように構成してもよい。
【００２６】
また、上記玩具１では、基台２と滑降台３の内部に滑降体５を収容するための収容空間14（基台２の底壁６と前後側壁7,8と左右側壁9,10と滑降台３の天井壁15と左右側壁16,17とで囲まれた内部空間）を形成し、基台２の上部に滑降台３を水平状に載置した収容姿勢（図２及び図３参照。）と、基台２の上部に滑降台３を傾斜状に載置した使用姿勢（図４参照。）とに姿勢変更できるように構成している。
【００２７】
そのため、上記構成の玩具１では、使用していない時には収容姿勢にすることで滑降体５を紛失することなくコンパクトに収容しておくことができ、また、使用する時には滑降台３を基台２に沿って摺動させるだけで直ちに使用することができるので、玩具１の使い勝手を向上させることができる。
【符号の説明】
【００２８】
１  玩具                              ２  基台
３  滑降台                            ４  滑降面
５  滑降体                            ６  底壁
7,8  前後側壁                         9,10  左右側壁
11  係止体                            12  支持部
13  凹部                              14  収容空間
15  天井壁                            16,17  左右側壁
18  載置部
【図１】
2011194017.tif 000003
【図２】
2011194017.tif 000004
【図３】
2011194017.tif 000005
【図４】
2011194017.tif 000006